(57)【要約】【課題】操作部に対して突起などの出っ張りが形成されることなく、かつ緊急時に容易にスイッチ操作を行うことができ、かつ誤操作を防ぐことができるスイッチガードを提供する。【解決手段】スイッチガード１は板状に形成され、操作部に固定するための固定部２と、スイッチを押圧するための押圧部３と、固定部２と押圧部３を連結する弾性変形可能な連結部５とを有する。【選択図】図１
2010176965.tif 000002
【特許請求の範囲】
【請求項１】
操作部の誤操作を防止するためのスイッチガードにおいて、
前記スイッチガードは、板状に形成され、前記操作部に固定するための固定部と、前記操作部のスイッチを押圧するための押圧部と、前記固定部と前記押圧部を連結する弾性変形可能な連結部とを有することを特徴とするスイッチガード。
【請求項２】
前記固定部は、前記スイッチガードの端部に設けられ、
前記押圧部は、前記スイッチガードの中央に設けられ、
前記連結部は、スリットを形成することにより、前記スイッチガードの長手方向に沿って、前記押圧部の左右に設けられることを特徴とする請求項１記載のスイッチガード。
【請求項３】
前記スイッチガードの短手方向の前記押圧部の両端が、前記固定部と連結していないことを特徴とする請求項２記載のスイッチガード。
【請求項４】
前記スイッチガードの短手方向の前記押圧部の両端が、前記固定部と連結することを特徴とする請求項２記載のスイッチガード。
【発明の詳細な説明】
【技術分野】
【０００１】
この発明は、例えば監視装置などに用いられる操作部の誤操作を防止するためのスイッチガードに関するものである。
【背景技術】
【０００２】
従来、２４時間３６５日稼動する監視装置では、図３に示すように、誤操作による電源断などがないように操作部をガードするスイッチガードを利用している。このスイッチガードには、緊急時のみ操作部を操作可能とするキャップ型のものが知られている。
このキャップ型のスイッチガードは、操作部のスイッチを囲むように本体部１１が固定され、キャップ型の蓋部１２が取り付けられたものであり、この蓋部１２はレバー部１３により開閉自在となっており、緊急時はこの蓋部１２を開けて鍵などにより操作部を操作できるようになっている（例えば、特許文献１参照）。
また、図４に示すように、操作部の周囲の天面を開放した突起部１４を形成するようにしたものもある（例えば、特許文献２参照）。
【先行技術文献】
【特許文献】
【０００３】
【特許文献１】特開２００６−７３２１１号公報
【特許文献２】特開平９−２１３１６３号公報
【発明の概要】
【発明が解決しようとする課題】
【０００４】
従来のスイッチガードは、上記のように構成されているため、操作部に対して突起などの出っ張りが存在し、操作者がこの出っ張りにぶつかりスイッチガードを変形させてしまうという課題があった。また、監視装置の操作部を緊急時に操作する際、スイッチガードのキャップの開閉を行う必要があり、手間がかかるという課題があった。
【０００５】
この発明は、上記のような課題を解決するためになされたもので、操作部に対して突起などの出っ張りが形成されることなく、かつ緊急時に容易にスイッチ操作を行うことができ、かつ誤操作を防ぐことができるスイッチガードを提供することを目的としている。
【課題を解決するための手段】
【０００６】
この発明に係るスイッチガードは、板状に形成され、操作部に固定するための固定部と、スイッチを押圧するための押圧部と、固定部と押圧部を連結する弾性変形可能な連結部とを有するものである。
【発明の効果】
【０００７】
この発明によれば、上記のように構成したので、監視装置の操作部にスイッチガードを貼付するだけで容易に装着することができる。また、操作部に対してスイッチガードがフラットな形状のため、スイッチガードに接触することによる変形が生じることはない。また、緊急時の操作部の操作においても、スイッチガードの押圧部に一定以上の荷重を加えるのみで操作可能となるため、操作性がよく、かつスイッチガードの押圧部を一定以上の荷重で押圧しない限り、監視装置の操作部を操作することはできないので、スイッチの誤操作を防止することができる。
【図面の簡単な説明】
【０００８】
【図１】この発明の実施の形態１に係るスイッチガードを示す図である。
【図２】この発明の実施の形態２に係るスイッチガードを示す図である。
【図３】従来のスイッチガードを示す図である。
【図４】従来のスイッチガードを示す図である。
【発明を実施するための形態】
【０００９】
以下、この発明の実施の形態について図面を参照しながら詳細に説明する。
実施の形態１．
図１はこの発明の実施の形態１に係るスイッチガード１を示す図である。
【００１０】
スイッチガード１は、透明樹脂製のシートにより形成され、図１に示すように、固定部２、押圧部３、スリット４及び連結部５により構成される。
【００１１】
固定部２は、スイッチガード１の端部に設けられ、誤操作防止の対象となる監視装置の操作部に接着、固定するための部位である。この固定部２の裏面は監視装置の操作部に粘着テープ等により貼付可能となるように構成されている。
【００１２】
押圧部３は、スイッチガード１の中央に設けられ、緊急時に監視装置の操作部のスイッチを操作する際に押圧するための部位である。この押圧部３の形状は操作部のスイッチ形状とほぼ同一形状に形成される。操作者は、この押圧部３を一定以上の荷重（例えば、２．０Ｎ）で押圧することにより、スイッチガード１の下部に位置する操作部のスイッチを押下することができる。
【００１３】
スリット４は、スリット４ａ及びスリット４ｂにより構成され、スイッチガード１に設けられる固定部２と押圧部３の間に形成され、スイッチガード１の下部に位置する監視装置の通気口として機能する部位である。このスリット４ａは、図１に示すように、スイッチガード１の長手方向に沿って、押圧部３を挟み、スイッチガード１の短手方向の上下に２本形成される。スリット４ｂは、スイッチガード１の短手方向の中央に、スイッチガード１の長手方向に沿って、押圧部３の左右に１本ずつ形成される。
【００１４】
連結部５は、固定部２と押圧部３とを連結する弾性変形可能な部位である。この連結部５は、固定部２と押圧部３との間に形成されるスリット４により形成され、図１に示すように、スイッチガード１の長手方向に沿って、押圧部３の左右に２本ずつ形成される。
【００１５】
上記のように構成されるスイッチガード１は、誤操作防止対象である監視装置の操作部にスイッチガード１に設けられる固定部２の裏面の粘着面を貼付することにより固定される。このスイッチガード１が固定された監視装置の操作部を緊急時に操作する際には、操作者が、スイッチガード１の上から押圧部３を一定以上の荷重で押圧することにより、固定部２と押圧部３を連結する連結部５が弾性変形し、スイッチガード１の下部に位置するスイッチを押下することができる。また、操作者が、スイッチガード１の押圧部３を一定以上の荷重により押圧しない限り、監視装置の操作部を操作することはできないので、スイッチの誤操作を防止することができる。
【００１６】
以上のように、この発明の実施の形態１によれば、板状に形成されるスイッチガード１は、操作部に固定するための固定部２と、スイッチを押下するための押圧部３と、スリット４を形成することにより固定部２と押圧部３とを連結する弾性変形可能な連結部５とを有するように構成したので、監視装置の操作部にスイッチガード１を貼付するだけで監視装置の操作部にスイッチガード１を容易に装着することができる。また、スイッチガード１を板状に形成したので、操作部に対してスイッチガード１がフラットな形状であり、操作者がスイッチガード１に接触することによる、スイッチガード１の変形は生じることはない。また、監視装置の操作部の緊急時における操作では、スイッチガード１の押圧部３の上から、操作者が一定以上の荷重を加えることのみで操作可能となるため、操作性がよく、かつ操作者がスイッチガード１の押圧部３に一定以上の荷重を加えない限り、操作部を操作することはできないので、誤操作を防止することができる。
【００１７】
また、スイッチガード１にスリット４を形成したので、監視装置に設けられる通気口を塞ぐことなくスイッチガード１の貼付が可能となる。
【００１８】
また、スイッチガード１は透明樹脂製シートにより形成されるので、スイッチガード１の下部に位置する監視装置の電源ランプの視認性をよくすることができる。
【００１９】
また、スイッチガード１は薄い樹脂製シートにより形成されるので、ごみやほこりがたまりにくくなり、また、従来のようなキャップ型のスイッチガードでは配置することができなかった狭い場所にも設置することができる。
【００２０】
実施の形態２．
図２はこの発明の実施の形態２に係るスイッチガード１を示す図である。
この発明の実施の形態１に係るスイッチガード１では、押圧部３はスイッチガード１の長手方向に沿って左右２本ずつ形成される弾性変形可能な連結部５により固定部２と連結させて構成したが、この発明の実施の形態２に係るスイッチガード１は、図４に示すように、スイッチガード１にスリット４ｂ及びスリット４ｃを形成することで、押圧部３を連結部５により固定部２と連結させる他に、スイッチガード１の短手方向の押圧部３の上下端部を固定部２と連結させるように構成したものである。このように構成することで、この発明の実施の形態１に係る発明１に係るスイッチガード１と同じ押圧力を押圧部３に加えても押圧部３の変位量を小さくすることができる。そのため、監視装置の操作部の形状等により、この発明の実施の形態１に係るスイッチガード１では弱い押圧力でもスイッチを押下してしまい、誤操作を起こす危険性がある場合などに適応することができる。
【００２１】
また、この発明の実施の形態２に係るスイッチガード１は、この発明の実施の形態１のスイッチガード１のスリット４ａをスリット４ｃに変更したものであり、監視装置の操作部の形状に応じたスイッチガード１を低コストで構成することができる。
【００２２】
また、この発明の実施の形態１，２に係るスイッチガードは、固定部２と押圧部３をスイッチガード１の長手方向左右に２本ずつの連結部５を形成することにより連結したが、これに限るものではなく、連結部５を１本または３本以上形成するように構成してもよい。
【００２３】
また、この発明の実施の形態１，２に係るスイッチガード１を構成する固定部２、押圧部３、スリット４及び連結部５の寸法・形状は、監視装置の操作部の形状や監視装置の通気口の位置等に応じて設定されるものであり、この発明の実施の形態に示したものに限られるものではない。
【符号の説明】
【００２４】
１  スイッチガード、２  固定部、３  押圧部、４，４ａ，４ｂ，４ｃ  スリット、５  連結部。
【図１】
2010176965.tif 000003
【図２】
2010176965.tif 000004
【図３】
2010176965.tif 000005
【図４】
2010176965.tif 000006